(57)【要約】 【課題】  スクリーンシャッター装置のガイドレールとスクリーン幕との間隙等を火災時に確実に塞ぐ封止材と、この封止材を用いたスクリーンシャッター装置を提供する。【解決手段】  封止材２５，３５，３６は、スクリーン幕を上下動させて開口部を開放または閉塞するスクリーンシャッター装置Ｓに使用され、スクリーン幕１と、該スクリーン幕の移動をガイドする他の部材としてガイドレール２，２との間隙、および／またはスクリーン幕１と他の部材であるケース部３の入口スリット３１として、まぐさ３２，３３との間隙に設置され、ブチルゴムを主成分とする樹脂分１００重量部に対して、リン化合物および中和処理された熱膨張性黒鉛の合計量を２０〜２００重量部、並びに無機充填剤を５０〜５００重量部含有する樹脂組成物である熱膨張性材料で構成される。封止材は、長尺の薄板片から形成されることが好ましい。【選択図】  図２
2005155200.tif 000002
【特許請求の範囲】
【請求項１】
スクリーン幕を上下動させて開口部を開放または閉塞するスクリーンシャッター装置の、前記スクリーン幕と他の部材との間隙に設置される封止材であって、該封止材は、熱膨張性材料で構成されることを特徴とするスクリーンシャッター用封止材。
【請求項２】
前記封止材は、長尺の薄板片から形成されることを特徴とする請求項１に記載のスクリーンシャッター用封止材。
【請求項３】
前記熱膨張性材料は、ブチルゴムを主成分とする樹脂分１００重量部に対して、リン化合物および中和処理された熱膨張性黒鉛の合計量を２０〜２００重量部、並びに無機充填剤を５０〜５００重量部含有する樹脂組成物であることを特徴とする請求項１または２に記載のスクリーンシャッター用封止材。
【請求項４】
前記熱膨張性材料は、エポキシ樹脂１００重量部に対して、リン化合物を５０〜１５０重量部、中和処理された熱膨張性黒鉛を１５〜４０重量部、および無機充填剤を３０〜５００重量部含有し、リン化合物、中和処理された熱膨張性黒鉛および無機充填剤の合計量が２００〜６００重量部である樹脂組成物であることを特徴とする請求項１または２記載のスクリーンシャッター用封止材。
【請求項５】
請求項１〜４のいずれかに記載のスクリーンシャッター用封止材を、前記スクリーン幕と前記他の部材であるガイドレールとの間隙、および／または前記スクリーン幕と前記他の部材であるケース部の入口スリットとの間隙に設置したことを特徴とするスクリーンシャッター装置。
【請求項６】
前記封止材は長尺の薄板片から形成され、前記ガイドレールおよび／または前記入口スリットに薄板片の一側が固定され、その他側は前記スクリーン幕に弾接することを特徴とする請求項５に記載のスクリーンシャッター装置。
【請求項７】
前記スクリーン幕を上下動させる駆動装置と、火災検知手段とをさらに備え、該火災検知手段の出力で前記駆動装置により前記スクリーン幕を降下させることを特徴とする請求項５または６に記載のスクリーンシャッター装置。
【請求項８】
前記火災検出手段は、前記封止材が熱膨張する前に火災を検出するように設定され、前記駆動装置で前記スクリーン幕を降下させることを特徴とする請求項７に記載のスクリーンシャッター装置。
【発明の詳細な説明】
【技術分野】
【０００１】
本発明は、不燃性または耐火性を有するスクリーン幕で建物の内部空間を間仕切りするスクリーンシャッター装置に係り、特に、延焼や煙の拡散を防止する防火防煙用のスクリーン幕とガイドレール等の間隙を封止するスクリーンシャッター用封止材と、この封止材を設置したスクリーンシャッター装置に関する。
【背景技術】
【０００２】
従来、この種のスクリーンシャッター装置等に使用できる封止材として、特許文献１には耐水性を有する発泡型防火性組成物を使用し、防火扉の上下左右の隙間部にシート貼りやガスケット固定等によりセットすることにより、火災時の炎や煙の貫通を防止できる使用方法が記載されている。この発泡型防火性組成物は、熱可塑性樹脂、ポリリン酸化合物、ならびに可塑材を含有するものである。
【特許文献１】特開２００１−３４１３５５号公報
【発明の開示】
【発明が解決しようとする課題】
【０００３】
ところで、前記構造の防火扉は、発泡型防火性組成物を防火扉の上下左右の隙間部にセットすることにより、火災時の炎や煙の貫通を防止できるとの記載があるが、他の開口部分へのシート貼りやガスケット固定等による設置や、具体的なセットについては何等記載されていない。このため、シート貼りやガスケット固定が不十分であると、この部分から炎や煙が貫通する虞があった。また、組成物自体の耐火性能に不安があり、大火災では炎や煙の貫通が発生する虞があった。
【０００４】
本発明は、このような問題に鑑みてなされたものであって、その目的とするところは、ガイドレールに沿わせてスクリーン幕を上下動させるスクリーンシャッター装置に使用したとき、火災時のシール効果は勿論のこと、加熱によるガイドレールの変形にも追従して隙間を確実に埋めることができ、炎や煙の進入を確実に防止できるスクリーンシャッター用の封止材を提供することにある。また、この封止材を設置した、耐火性能に優れたスクリーンシャッター装置を提供することにある。
【課題を解決するための手段】
【０００５】
前記目的を達成すべく、本発明に係るスクリーンシャッター用封止材は、スクリーン幕を上下動させて開口部を開放または閉塞するスクリーンシャッター装置の、スクリーン幕と他の部材との間隙に設置されるもので、熱膨張性材料で構成されることを特徴とする。他の部材としては、スクリーン幕の上下動をガイドするガイドレールや、スクリーン幕を収納するケース部の入口スリット等である。スクリーン幕とガイドレールとの間隙に封止材を設置するときは、スクリーン幕の面に沿って設置するか、スクリーン幕の奥に設置することが好ましい。また、入口スリット部分に設置するときは、スクリーン幕の両面に近接して設置すると好適である。封止材を長尺の薄板片から形成すると、容易に設置でき薄板片の自由端をスクリーン幕に弾接させることができる。
【０００６】
前記の熱膨張性材料は、ブチルゴムを主成分とする樹脂分１００重量部に対して、リン化合物および中和処理された熱膨張性黒鉛の合計量を２０〜２００重量部、並びに無機充填剤を５０〜５００重量部含有する樹脂組成物であると好ましい。
また、前記の熱膨張性材料は、エポキシ樹脂１００重量部に対して、リン化合物を５０〜１５０重量部、中和処理された熱膨張性黒鉛を１５〜４０重量部、および無機充填剤を３０〜５００重量部含有し、リン化合物、中和処理された熱膨張性黒鉛および無機充填剤
の合計量が２００〜６００重量部である樹脂組成物であると好適である。
【０００７】
前記のごとく構成された本発明のスクリーンシャッター用封止材は、火災時には熱膨張してスクリーン幕とガイドレールとの間隙、および／またはスクリーン幕と該スクリーン幕を収納するケース部の入口スリットとの間隙を確実に塞ぐことができ、スクリーンシャッター装置で区画された空間への炎や煙の進入を防止することができる。すなわち、熱膨張性材料は加熱によって熱膨張して耐火断熱層を形成できるものであり、所定の加熱条件下で加熱したあとの体積膨張率が安定しており、遮煙材、防炎材として確実に機能し、煙や炎が進入するのを確実に防止する。
【０００８】
また、本発明に係るスクリーンシャッター装置は、前記したスクリーンシャッター用封止材を、スクリーン幕と他の部材であるガイドレールとの間隙、および／またはスクリーン幕と他の部材であるケース部の入口スリットとの間隙に設置したことを特徴としている。前記封止材は長尺の薄板片から形成され、ガイドレールおよび／または入口スリットに薄板片の一側が固定され、その他側はスクリーン幕に弾接することが好ましい。
【０００９】
このように構成すると、火災時に熱膨張性材料で構成された封止材が熱膨張し、スクリーン幕とガイドレールの隙間を確実に塞ぐと共に、スクリーン幕とこれを収納するケース部の入口スリットとの間隙を確実に塞ぐため、炎や煙が隣接する区画に進入するのを防止できる。また、通常時には薄板片の一側が弾接するのみで、スクリーン幕の上下動の負荷を少なくすることができる。
【００１０】
さらに、本発明に係るスクリーンシャッター装置の好ましい他の態様としては、前記のスクリーンシャッター装置において、スクリーン幕を上下動させる駆動装置と、火災検知手段とをさらに備え、該火災検知手段の出力で駆動装置によりスクリーン幕を降下させることを特徴としている。この構成によれば、火災が発生すると火災検知手段が作動して駆動装置によりスクリーン幕を降下させて開口部を閉塞し、封止材がスクリーン幕とガイドレールの隙間、ガイドレールとケース部の入口スリットとの隙間を塞いで煙や炎が進入するのを防止する。
【００１１】
前記のスクリーンシャッター装置において、前記火災検出手段は、封止材が熱膨張する前に火災を検出するように設定され、駆動装置でスクリーン幕を降下させることが好ましい。封止材が熱膨張すると、スクリーン幕とガイドレールの間隙を塞いでスクリーン幕の降下を妨げるが、この構成によれば、スクリーン幕が降下した後、封止材が熱膨張するためスクリーン幕を確実に下げた状態で、間隙を封止することができる。
【発明の効果】
【００１２】
本発明によれば、スクリーン幕とガイドレールとの間隙や、スクリーン幕と該スクリーン幕を収納するケース部の入口スリットとの間隙を、火災時に加熱されて熱膨張する熱膨張性材料によって確実に塞ぐことができ、スクリーンシャッター装置で区画された空間へ炎や煙が進入することを防止することができる。また、火災発生時に自動的にスクリーン幕を降下させ、区画された空間への炎や煙の進入を確実に防止することができる。
【発明を実施するための最良の形態】
【００１３】
以下、本発明に係るスクリーンシャッター装置の一実施形態を図面に基づき詳細に説明する。図１は、本実施形態に係るスクリーンシャッター装置の一部を省略した要部正面図、図２は、図１の縦断面図、図３は、図２のＡ−Ａ線に沿うガイドレール部分の要部断面図、図４は封止材の設置構造を示す要部斜視図である。
【００１４】
建物の内部には、従来から火災時に備えて、火炎や煙を遮断するための防火隔壁や防火
シャッターなどの防火設備や、人が避難できるようにするための防火開閉扉などの避難通路などが計画的に配備されている。これら防火隔壁や防火シャッターなどに代わる新しい防火設備として、不燃性や耐火性のスクリーン幕を使用して火炎や煙を遮断する防火防煙用のスクリーンシャッター装置が設置されている。本発明は、前記のようなスクリーンシャッター装置と、これに使用して煙や炎の進入を防止する封止材に関する。
【００１５】
図１〜４において、本実施形態のスクリーンシャッター装置（以下、シャッター装置という）Ｓは建物内部に設置され、スクリーン幕１を壁面Ｗに垂設されたガイドレール２，２に沿って上下に移動させて空間を仕切るものである。シャッター装置Ｓは上部にスクリーン幕１を収容するケース部３を備え、このケース部内にスクリーン幕１を上下動させる駆動装置４が設置されている。
【００１６】
駆動装置４は、モータ４１でベルトやチェーン等を介して回転される巻取りシャフト４２からスクリーン幕１をケース部３の入口スリット３１から外部に繰り出してガイドレール２，２に沿わせて床面Ｆまで降下させ、２本のガイドレールとケース部に囲まれた開口部を閉塞すると共に、スクリーン幕１を上昇させて開口することができる。複数の巻取りシャフト４２は、ケース部３内に水平に回転可能に支持され、ケース部内の中間軸受部４３で連結機構４４により連動される構成となっている。このように、駆動装置４は、スクリーン幕１を上方のケース部３に格納するように天井裏に設置されている。
【００１７】
このようにシャッター装置Ｓは、スクリーン幕１を降下させて建物の室内空間を間仕切りし、火炎や煙を遮断できるようになっている。スクリーン幕１は、ガラス繊維の織布やシリカクロスなどの不燃性あるいは耐火性に富んだ布製の素材によって形成されていて、火炎および煙を遮断する機能を有している。スクリーン幕１は、不燃性または耐火性に富み、かつ可撓性を有する所定幅の複数枚の幕片１１を連結し、２本のガイドレール２，２間の開口部の幅に合わせて幅広に形成されている。すなわち、スクリーン幕１は複数枚の幕片１１を連結して構成され、幕片１１の連結部には幅の狭い裏打幕片１２が重ね合わされ、本実施形態では縫合され、巻取り可能な可撓性が付与されている。
【００１８】
スクリーン幕１の下端には全幅に亘って座板５が固定され、スクリーン幕１の下端に剛性を付与して湾曲するのを防止している。座板５は金属板材を折り曲げ形成した２枚の座板表面材５１と、必要に応じて重量のある芯材５２やウェイト材とを重ねてビス５３で固定し、この座板５が重錘として機能することにより、駆動装置４で解かれたスクリーン幕１が降下すると共に、降下した後は火災発生側で高まる内圧や気流などによって煽られて浮き上がることが防止される。座板５は中間に位置する芯材５２にスクリーン幕１を巻回させて両側から座板表面材５１で挟み、ビス５３により貫通した状態で固定することが好ましい。座板５の下方の凹部は床面Ｆから突出して固定された突条Ｆａに係合すると移動しにくくなって好ましい。
【００１９】
スクリーン幕１には幕片１１の１つに、避難用の非常口１３が設けられていて、このスクリーン幕を下降させ開口部を閉塞した後にも非常口から人が通過して避難できるようになっている。非常口１３には、非常口模様１３ａが印刷等で形成されている。この非常口１３は、１枚の幕片に縦方向の切り込み１４を形成し、切り込みの一方側（右側）の幕片は座板５で固定され、切り込みの他方側（左側）は扉片幕片として傾斜辺１３ｂに沿って湾曲させることで開口を作るものである。したがって、湾曲させる側の扉片幕片の下端には扉用座板５ａが固定され、扉用座板は全体の座板５に傾斜辺１３ｂの延長上のヒンジ５ｂで連結され、一方向側へ斜めに揺動できるように構成されている。なお、非常口には、切り込み１４の裏側に補強用の裏打幕片１３ｃを貼り付けることが好ましく、裏打幕片１３ｃに非常口１３の扉用幕片が当接することで煙等の進入を少なくすることができる。
【００２０】
スクリーン幕１の上下動をガイドするガイドレール２，２は、移動可能のスクリーン幕１に対して固定側の他の部材を構成し、金属板材を屈曲形成して断面形状が略矩形で縦方向にガイド溝２１を有する形状であり、２本のガイドレールが平行状態に壁面Ｗ，Ｗ等に垂設され、それぞれのガイド溝は対向するように形成されている。ガイド溝２１の幅は、スクリーン幕１の厚さより大きく形成され、スクリーン幕１がガイドレール２のガイド溝２１内を少ない抵抗で上下できるように構成されている。この隙間を比較的大きく形成すると上下動の際の抵抗を小さくできるが、火災発生時には煙や炎が進入しやすくなる。なお、図示していないが、スクリーン幕１のガイド溝２１に挿入する部分に両側からテフロン(登録商標)シート等の補強シートを貼り付けると、上下動の際の抵抗を少なくでき、耐久性を向上できる。
【００２１】
ガイドレール２は、断面図に示すように室外空間Ｂ側の部材２２と、室内空間Ｃ側の部材２３の２つの部材を組み合わせて構成され、２部材は図示していないビス等で固定される。それぞれの部材は、外側に位置する外周面２２ａ，２３ａと、外周面の一端から直角に内側に向けて屈成される対向面２２ｂ，２３ｂと、対向面から直角に内側に屈成され間隔を空けて対向してスリットを構成する摺動面２２ｃ，２３ｃと、外周面の他端から直角に屈成され重ねられる固定面２２ｄ，２３ｄとを備えており、ガイド溝２１構成部分が略コ字状の断面を有している。
【００２２】
スクリーン幕１の両端辺は、ガイドレール２のガイド溝２１内に挿入されており、前記のように上下動の抵抗を少なくするため、接触しない状態で間隙が開いている。図示の例では、スクリーン幕１はガイド溝２１の室外空間Ｂ側の摺動面２２ｃと室内空間Ｃ側の摺動面２３ｃの両方に間隙が形成されていると共に、スクリーン幕１の端辺とガイド溝２１の奥面との間にも間隙が形成されている。
【００２３】
本実施形態では、ガイド溝２１の室外空間Ｂ側の摺動面２２ｃとスクリーン幕１との間隙に封止材２５が設置されている。封止材２５は厚さが０．５〜数ｍｍ程度で、幅が数ｃｍ程度で、長さが数ｍの薄板状に形成された熱膨張性材料の薄板片で構成され、断面がコ字状の金属板材２６と、Ｌ字状の金属板材２７とで封止材の一側が挟まれた状態でビス止めされている。この結果、封止材２５は長手方向に沿った一辺が固定され、他辺がスクリーン幕１の表面に弾接するように片持ち状態に固定された状態となる。なお、図３では封止材２５は外側に向けて湾曲するように設置されているが、内側に向けて湾曲するようにしてもよい。
【００２４】
また、本実施形態では、スクリーン幕１を収納するケース部３の入口スリット３１とスクリーン幕１との間隙にも、封止材３５，３６を設置している。入口スリット３１は、移動するスクリーン幕１に対して、固定側の他の部材を構成する。ガイドレール２上部の室外側面と室内側面には、水平状態にまぐさ３２，３３が支持されており、まぐさの左右端部とガイドレール上部は固定されている。まぐさ３２，３３はアルミニウムの押出し材や板金材が用いられている。まぐさ３２，３３の下端の水平状リブに耐火材よりなる天井ボードＲが係合して固定される。まぐさ３３の室内側の面には水平梁状のまぐさ補強材３４が固定されている。まぐさ補強材３４は幅の広いガイドレール２，２間のスパンに支持されるため、強度の大きい角鋼材が好ましい。なお、まぐさや、まぐさ補強材はＣ鋼や、Ｌ鋼で形成してもよい。
【００２５】
スクリーン幕１を収納するケース部３の入口スリット３１は、２本のまぐさ３２，３３の間隔で構成され、スクリーン幕１の室外空間Ｂ側の面とまぐさ３２との間隙と、スクリーン幕１の室内空間Ｃ側の面とまぐさ３３との間隙には封止材３５，３６が設置されている。封止材のまぐさへの固定は、いかなる方法でもよいが、封止材の長手方向の１辺を金属板材に固定し、この金属板材をまぐさにビス止めすることが好ましい。また、封止材の
長手方向の１辺を金属板材とまぐさで挟んで固定することも好適である。封止材３５，３６は１辺がまぐさ等の入口スリットに固定され、他辺はスクリーン幕１に湾曲して弾接している。このため、封止材３５，３６はスクリーン幕１に接触しているが、スクリーン幕１の上下動の際の抵抗が少なくなっている。
【００２６】
スクリーン幕１とガイドレール２，２との間隙に設置される封止材２５、およびスクリーン幕１とケース部３の入口スリット３１を構成する、まぐさ３２，３３に設置される封止材３５，３６は、火災時に煙が進入するのを防止する遮煙材として機能すると共に、炎が進入するのを防止するものであり、熱膨張性材料から形成されている。熱膨張性材料は、ブチルゴムを主成分とする樹脂分１００重量部に対して、リン化合物および中和処理された熱膨張性黒鉛の合計量を２０〜２００重量部、並びに無機充填剤を５０〜５００重量部、含有する樹脂組成物から形成されている。
【００２７】
また、熱膨張性材料の他の例としては、エポキシ樹脂１００重量部に対して、リン化合物を５０〜１５０重量部、中和処理された熱膨張性黒鉛を１５〜４０重量部、および無機充填剤を３０〜５００重量部含有し、リン化合物、中和処理された熱膨張性黒鉛および無機充填剤の合計量が２００〜６００重量部である樹脂組成物から形成されるものを用いてもよい。熱膨張性材料から形成された前記の封止材は、加熱すると体積で５〜５０倍程度に熱膨張して耐火断熱層を形成し、スクリーン幕１とガイドレール２，２等の隙間を充填して、倍率が一定であり煙や炎の進入を確実に防止する。
【００２８】
このスクリーンシャッター装置Ｓは、図５に示すように、火災時に自動的に閉止させる自動開閉装置６を備えている。この自動開閉装置は温度センサや煙センサ等の火災検知器６１を備えており、この火災検知器６１からの信号で電源６２から電力を駆動装置４のモータ４１に供給して作動させ、巻取りシャフト４２を回動させてスクリーン幕１を降下させ、室内空間を間仕切りして煙や炎が隣接する空間へ進入するのを防止している。火災検知器６１の動作温度は、熱膨張性材料で構成された封止材２５，３５，３６の熱膨張温度より低く設定してあり、封止材が熱膨張する前に火災検知器６１が作動してスクリーン幕１を降下させるように設定されている。
【００２９】
前記の如く構成された本実施形態のスクリーンシャッター装置Ｓの動作について以下に説明する。シャッター装置Ｓは、通常はスクリーン幕１が上昇してケース部３内に収納されており、ガイドレール２，２とまぐさ３２，３３で囲まれた開口部は開放され、例えば人の往来は自由な状態となっている。この状態で、火災が発生すると、火災検知器６１が熱や煙を検出してモータ４１を回動させ、モータの回転は中間軸受部４３の連結機構４４により複数の巻取りシャフト４２に連動され、巻取りシャフト４２に巻かれたスクリーン幕１が解かれ、スクリーン幕１は下端の座板５が錘として機能してガイドレール２，２に沿って降下して開口部を閉塞する。そして、座板５が床面Ｆの突条Ｆａに係合してスクリーン幕１が爆風等で煽られても移動しにくい状態に保持される。
【００３０】
スクリーン幕１が下がった状態で開口部が閉塞しているときには、人は非常口１３を開けて出入することができる。非常口１３は室内空間Ｃ側から室外空間Ｂ側へ扉片を押したときに開くように構成されており、押されることにより扉用座板５ａがヒンジ５ｂを介して座板５から揺動し、扉用幕片が傾斜辺１３ｂに沿って湾曲することによりスクリーン幕１の一部が開口する。非難する人はこの開口から脱出することができ、脱出後は扉用座板５ａの重さで扉用幕片は元の状態に戻り、開口は閉塞して煙や炎を遮蔽する。
【００３１】
スクリーン幕１が下がり、開口が閉じた状態で、火災により温度が上昇すると、熱膨張性材料から構成された封止材２５，３５，３６は熱膨張して耐火断熱層を形成し、間隙内に充填されてガイドレール２，２とスクリーン幕１との間隙を塞ぐとともに、スクリーン
幕１とケース部３の入口スリット３１を構成するまぐさ３２，３３との間隙も塞いで、煙や炎が進入するのを確実に防止できる。このため、延焼を効果的に防ぐことができ、非難時に煙が充満するのを防止できる。
【００３２】
火災が発生したときには、ガイドレール２，２とスクリーン幕１との間隙、入口スリット３１のまぐさ３２，３３とスクリーン幕１との間隙は熱膨張した耐火断熱材が充満されているため、スクリーン幕１は上昇不能状態となっているので、復帰のためには耐火断熱材を除去する必要がある。そして、耐火断熱材を除去した後に、新規の封止材をガイドレール２，２とスクリーン幕１との間隙および入口スリット３１とスクリーン幕１との間隙に設置する。
【実施例】
【００３３】
（実施例１）
エポキシ樹脂（油化シェルエポキシ社製「Ｅ８０７」）４０重量部、ジアミン系硬化剤（油化シェルエポキシ社製「ＥＫＦＬ０５２」）６０重量部によりエポキシ樹脂分１００重量部とし、これにポリリン酸アンモニウム（クラリアント社製「Ｅｘｏｌｉｔ  ＡＰ４２２」）１００重量部、中和処理された熱膨張性黒鉛（東ソー社製「フレームカットＧＲＥＰ−ＥＧ」）５０重量部、および水酸化アルミニウム（昭和電工社製「ハイジライトＨ−３１」）５０重量部、炭酸カルシウム（備北粉化社製「ＢＦ３００」）１００重量部を含有する樹脂組成物をロールを用いて混練し、その後プレスによりガラスクロスを含浸させた状態で熱硬化（１５０℃、１０分）させ、厚み１．５ｍｍ、幅４０ｍｍの長尺の薄板片である封止材を作製した。
【００３４】
（実施例２）
ブチルゴム（エクソン化学社製「ブチルゴム０６５」）４０重量部、ポリブテン（出光石油化学社製「ポリブテン１００Ｒ」）５０重量部、石油樹脂（トーネックス社製「エスコレッツ５３２０」）１０重量部によりブチルゴムを主成分とする樹脂分１００重量部とし、これにポリリン酸アンモニウム（クラリアント社製「Ｅｘｏｌｉｔ  ＡＰ４２２」）４５重量部、中和処理された熱膨張性黒鉛（東ソー社製「フレームカットＧＲＥＰ−ＥＧ」）３０重量部、および水酸化アルミニウム（昭和電工社製「ハイジライトＨ−３１」）２００重量部を含有する樹脂組成物をロールを用いて混練し、その後プレスにより厚み１．０ｍｍのシート状物を作製した。このシートを厚さ１．０ｍｍ、幅４０ｍｍのシリコーンゴムに貼付し長尺の薄板片である封止材を作製した。
（比較例）
厚さ２．０ｍｍ、幅４０ｍｍのシリコーンゴムを封止材とした。
【００３５】
（評価）
前記の実施例１，２の封止材、および比較例の封止材を使用し、１ｍ×１ｍのスクリーンシャッター装置を作製して取り付け、ＩＳＯ８３４の加熱条件に従い１時間耐火試験を実施したところ、実施例１，２の封止材を取り付けたスクリーンシャッター装置は裏面への火炎の噴出および炉内への貫通は確認されなかった。これに対し、比較例の封止材を用いたスクリーンシャッター装置は、同様の試験を実施したところ、ガイドレールの変形部から炉内への貫通が確認された。
【００３６】
このように、前記の実施例１、２の封止材を、スクリーン幕１とガイドレール２，２との間隙に設置し、スクリーン幕１とケース部３の入口スリット３１との間隙に設置すると、火災時に封止材が熱膨張して前記の間隙を耐火断熱層で塞ぐため、スクリーンシャッター装置で仕切られた空間内に煙や炎が進入するのを確実に防止することができる。
【００３７】
以上、本発明の一実施形態について詳述したが、本発明は、前記の実施形態に限定され
るものではなく、特許請求の範囲に記載された本発明の精神を逸脱しない範囲で、種々の設計変更を行うことができるものである。例えば、自動開閉装置を構成する火災検知手段は、煙感知器、熱感知器のいずれのものでも使用することができる。ガイドレールに設置された封止材は、ガイド溝を構成する１面側のみに設置する例を示したが、両面側に設置するようにすることができる。また、ガイドレールの奥面とスクリーン幕の端辺との間隙に設置するようにしてもよい。
【００３８】
スクリーン幕を収納するケース部の入口スリットとして、その下方に位置する２つのまぐさの間隙とし、封止材をそれぞれのまぐさに固定するように構成したが、ケース部を構成する金属板材にスクリーン幕が出入する入口スリットを直接形成し、封止材を金属板材の入口スリットに固定するように構成してもよい。要するに、火災時に煙や炎がケース部内に進入し、ケース部を通して他方の空間に進入しない構成であればよい。さらに、スクリーン幕下端の座板は、床面の突条に係合する構成としたが、突条は必ずしも必要としない。
【００３９】
スクリーンシャッター装置の下部、例えば座板部分の下面、および／または床面の突条部に、前記した熱膨張性材料からなる例えば帯状の部材を設置することができる。この位置に、熱膨張性材料からなる部材を設置すると、火災時の風圧等によってスクリーン幕が変形し、座板と床面との間に隙間が発生したときでも、この隙間を埋めて火炎や煙が進入するのを遮断することができるため、シャッター装置の上下、左右のすべての面に対する隙間の発生を防止することができて好ましい。
【図面の簡単な説明】
【００４０】
【図１】本発明に係るスクリーンシャッター装置の一実施形態の一部を省略した要部正面図。
【図２】図１に示すスクリーンシャッター装置の縦断面図。
【図３】図２のＡ−Ａ線に沿うガイドレール部分の要部断面図。
【図４】封止材の設置構造を示す要部斜視図。
【図５】自動開閉装置を示すブロック図。
【符号の説明】
【００４１】
Ｓ：スクリーンシャッター装置、１：スクリーン幕、２，２：ガイドレール、２１：ガイド溝、２５：封止材、３：ケース部、３１：入口スリット、３２，３３：まぐさ、３５，３６：封止材、４：駆動装置、５：座板、６：自動開閉装置、６１：火災検知器
【図１】
2005155200.tif 000003
【図２】
2005155200.tif 000004
【図３】
2005155200.tif 000005
【図４】
2005155200.tif 000006
【図５】
2005155200.tif 000007